(57)【要約】      （修正有）【課題】床面開口部の閉口時には床面開口部にしっかりと固定されるとともに床面からの厚みを少なくして転倒等の事故を抑制し、運搬作業や設置作業、および取り外し作業も容易にすることのできる床面開口部開閉蓋および開閉蓋移動器具を提供する。【解決手段】床面に設けられた開口部を開閉可能にする床面開口部開閉蓋１であって、床面開口部の周縁部よりも大きな外形に形成された蓋本体１１と、この蓋本体１１の裏面側に設けられているとともに蓋本体１１の表面側から回動操作可能に構成された回動操作部１２と、蓋本体１１の裏面側において回動操作部１２の回動に連動して床面開口部の内周面の複数箇所に押し付けられるストッパー機構部１３とを備えている。【選択図】図３
0003195942.tif 000002
【実用新案登録請求の範囲】
【請求項１】
床面に設けられた開口部を開閉可能にする床面開口部開閉蓋であって、前記床面開口部の周縁部よりも大きな外形に形成された蓋本体と、この蓋本体の裏面側に設けられているとともに前記蓋本体の表面側から回動操作可能に構成された回動操作部と、前記蓋本体の裏面側において前記回動操作部の回動に連動して前記床面開口部の内周面の複数箇所に押し付けられるストッパー機構部とを備えている、床面開口部開閉蓋。
【請求項２】
前記ストッパー機構部が、回動中心からの距離が連続的に変化する外周面を有するとともに前記回動操作部の回動に連動して前記蓋本体の裏面に沿って回動するカムと、回動する前記カムの外周面に沿って摺動しながら外方向に押されて前記床面開口部の内周面に押し付けられる押圧ストッパーとを有する、請求項１に記載の床面開口部開閉蓋。
【請求項３】
請求項１または請求項２に記載の前記床面開口部開閉蓋を前記床面開口部から持ち上げて移動させる開閉蓋移動器具であって、
前記蓋本体の表面に設けられている引掛け部に掛止するフック部材と、
このフック部材を先端に連結しているとともに後端に把持部を有する長尺状のアーム部材と、
このアーム部材の中途位置から下方に向けて延設されているアーム支持脚と、
このアーム支持脚の下端部に取り付けられているキャスター部材と、
前記アーム支持脚の下端部から前記フック部材の方向に向けて延設されて前記蓋本体と前記床面との間に挿入されることにより前記蓋本体を支持する爪部材と
を有する開閉蓋移動器具。
【考案の詳細な説明】
【技術分野】
【０００１】
本考案は、建築工事現場等において床面に設けられた開口部を開閉可能にする床面開口部開閉蓋およびこの床面開口部開閉蓋を移動するための開閉蓋移動器具に関するものである。
【背景技術】
【０００２】
従来、建築現場等において建設中の建物の床面には、資材の搬入・搬出のためや作業員の出入りのために開口部が形成されており、この床面開口部に作業員が転落するのを防止し、あるいは工具等の落下を防止することを目的として前記床面開口部を覆う蓋が設置される。一方、床面開口部を覆う蓋は、資材の搬入・搬出口としてや作業員の出入り口等として用いられるために開閉できるようにしておくことが必要である。
【０００３】
このような要望に対して、従来、作業員等の落下を防止しつつ前記床面開口部の開閉を可能にした蓋に関する考案が提案されている。例えば、特開平８−３５３３６号公報には、床面開口部の周囲に配置した矩形型の基礎フレームと、前記基礎フレームの四隅部に立設した柵フレームと、前記床面開口部を開口または閉口できるよう前記基礎フレームに回動自在に取り付けた一対の蓋板とを有する床面開口部安全ユニットが提案されている（特許文献１）。この安全ユニットは、蓋板を回動式としているので容易に開閉でき、また、床面開口部の側方には必ず柵フレームが立設されるので蓋板開閉時の安全性が担保され、さらにコンパクトに折り畳むことができて収納および搬送に便利であると記載されている。
【先行技術文献】
【特許文献】
【０００４】
【特許文献１】特開平８−３５３３６号公報
【考案の概要】
【考案が解決しようとする課題】
【０００５】
しかしながら、特許文献１に記載された考案においては、単に床面開口部上に載置する構造であるため位置がズレ易く安全性に乏しいし、また、持ち去る等のイタズラには対応できないという問題がある。
【０００６】
また、当該安全ユニットは、基礎フレームや蓋板が床面に対して相応の厚みを有するため、作業員が当該安全ユニット上を往来する場合に、つまずき、転倒する等の問題もある。
【０００７】
さらに、当該安全ユニットは、安全設計上、四面に柵フレームが設けられているが、大がかりな構造のため設置や移動に負担が大きく、却って実用性に乏しい。
【０００８】
本考案は、このような問題点を解決するためになされたものであって、床面開口部の閉口時には前記床面開口部にしっかりと固定されるとともに床面からの厚みを少なくして転倒等の事故を抑制し、運搬作業や設置作業、および取り外し作業も容易にすることのできる床面開口部開閉蓋および開閉蓋移動器具を提供することを目的としている。
【課題を解決するための手段】
【０００９】
本考案に係る床面開口部開閉蓋は、床面に設けられた開口部を開閉可能にする床面開口部開閉蓋であって、前記床面開口部の周縁部よりも大きな外形に形成された蓋本体と、この蓋本体の裏面側に設けられているとともに前記蓋本体の表面側から回動操作可能に構成された回動操作部と、前記蓋本体の裏面側において前記回動操作部の回動に連動して前記床面開口部の内周面の複数箇所に押し付けられるストッパー機構部とを備えている。
【００１０】
また、本考案の一態様として、前記ストッパー機構部が、回動中心からの距離が連続的に変化する外周面を有するとともに前記回動操作部の回動に連動して前記蓋本体の裏面に沿って回動するカムと、回動する前記カムの外周面に沿って摺動しながら外方向に押されて前記床面開口部の内周面に押し付けられる押圧ストッパーとを有するようにしてもよい。
【００１１】
また、本考案に係る開閉蓋移動器具は、前記床面開口部開閉蓋を前記床面開口部から持ち上げて移動させる開閉蓋移動器具であって、前記蓋本体の表面に設けられている引掛け部に掛止するフック部材と、このフック部材を先端に連結しているとともに後端に把持部を有する長尺状のアーム部材と、このアーム部材の中途位置から下方に向けて延設されているアーム支持脚と、このアーム支持脚の下端部に取り付けられているキャスター部材と、前記アーム支持脚の下端部から前記フック部材の方向に向けて延設されて前記蓋本体と前記床面との間に挿入されることにより前記蓋本体を支持する爪部材とを有する。
【考案の効果】
【００１２】
本考案によれば、床面開口部の閉口時には前記床面開口部にしっかりと固定されるとともに床面からの厚みを少なくして転倒等の事故を抑制し、運搬作業や設置作業、および取り外し作業を容易にすることができる。
【図面の簡単な説明】
【００１３】
【図１】本考案に係る床面開口部開閉蓋の一実施形態を示す平面図である。
【図２】本実施形態の床面開口部開閉蓋を示す底面図である。
【図３】本実施形態の床面開口部開閉蓋を示す側面図である。
【図４】本実施形態におけるストッパー機構部を示す平面図である。
【図５】他の実施形態におけるストッパー機構部を示す平面図である。
【図６】他の実施形態におけるストッパー機構部を示す平面図である。
【図７】本考案に係る開閉蓋移動器具の一実施形態を示す斜視図である。
【図８】（ａ）本実施形態の床面開口部開閉蓋を床面開口部の上に置いた状態図、（ｂ）回動操作によって床面開口部開閉蓋を床面開口部に固定した状態図である。
【図９】本実施形態におけるストッパー機構部がカムの移動に伴って外方向に摺動しテンションを付与した状態を示す平面図である。
【図１０】（ａ）本実施形態の開閉蓋移動器具を床面開口部開閉蓋に装着した状態図、（ｂ）開閉蓋移動器具によって床面開口部開閉蓋を持ち上げた状態図である。
【考案を実施するための形態】
【００１４】
以下、本考案に係る床面開口部開閉蓋１および開閉蓋移動器具２の一実施形態について図面を用いて説明する。
【００１５】
本実施形態の床面開口部開閉蓋１は、床面Ｆに設けられた開口部Ｏを開閉可能にするためのものであり、図１および図２に示すように、前記床面開口部Ｏを開閉可能に塞ぐ蓋本体１１と、この蓋本体１１の裏面側に設けられている回動操作部１２と、この回動操作部１２の回動に連動して前記床面開口部Ｏの内周面Ｏ１に押し付けられるストッパー機構部１３と、前記回動操作部１２および前記ストッパー機構部１３を保護する保護カバー１４とを有する。以下、各構成について説明する。
【００１６】
蓋本体１１は、床面開口部Ｏを覆うとともに、この蓋本体１１自体が誤って前記床面開口部Ｏに落下することを防止するため、前記床面開口部Ｏの周縁部より大きな外形に形成されている。本実施形態における蓋本体１１は、床面Ｆからの厚みを小さくするとともに前記蓋本体１１上を往来する作業員等の荷重に耐え得るような薄板状の鋼板によって形成されている。また、蓋本体１１の略中央には、ソケットレンチ等の回動用工具Ｔによって裏面側の回動操作部１２を表面側から回動操作可能にするための工具挿入孔１１１が形成されている。
【００１７】
また、蓋本体１１の表面には、後述する開閉蓋移動器具２のフック部材２１を掛止させる引掛け部１１２を有している。本実施形態における引掛け部１１２は、前記蓋本体１１を表面側から裏面側に貫通させて形成させた長穴からなり、前記蓋本体１１の表面上に突出させないことで往来の邪魔とならないようになっている。なお、この引掛け部１１２は、穴状のものに限定されるものではなく、ループ形状等のフック部材２１を掛止させ得る種々の形状から適宜選択してもよい。
【００１８】
回動操作部１２は、前記蓋本体１１の表面側からストッパー機構部１３を回動操作可能に構成するものであり、ストッパー機構部１３を連動させて前記蓋本体１１を床面開口部Ｏ内に固定および解除するものである。また、回動操作部１２は、往来の邪魔とならないように前記蓋本体１１の裏面側に設けられており、図３に示すように、前記蓋本体１１の工具挿入孔１１１の裏面側に配置される回動軸１２１と、この回動軸１２１を回動自在に軸支する回動軸受け１２２とを有する。
【００１９】
本実施形態における回動軸１２１は、頭部に六角形状の外周面を有するトルク伝達部１２３を備えたボルトからなり、前記トルク伝達部１２３はソケットレンチ等の回動用工具Ｔが嵌合されるようになっている。なお、トルク伝達部１２３の形状は、特に限定されるものではなく、多角形状の孔等、回動用工具Ｔに嵌合可能な形状に応じて適宜選択してもよい。
【００２０】
ストッパー機構部１３は、前記回動操作部１２の回動に連動して前記床面開口部Ｏの内周面Ｏ１の対向する複数箇所に押し付けられ、突っ張る状態に固定されることにより、前記蓋本体１１を床面開口部Ｏに対して固定および解除するようになっている。前記ストッパー機構部１３は、回動操作部１２と同様、前記蓋本体１１上の往来の邪魔とならないように前記蓋本体１１の裏面側に設けられており、図３および図４に示すように、前記回動操作部１２の回動軸１２１に固定されたカム１３１と、このカム１３１の回動に連動して前記カム１３１の外周面に沿って摺動する２個の押圧ストッパー１３２，１３２とを有する。
【００２１】
カム１３１は、図４に示すように、略扇状に形成された２つの円弧面を有する鋼材を回動軸１２１を中心として前記円弧面が点対称となるように配置した形状を有する。前記カム１３１の外周形状は、円弧の一端部から他端部にかけて徐々に半径が大きくなるように連続した曲線状に形成されている。つまり、前記円弧面は回動中心からの距離が連続的に変化する外形を備えている。また、半径が短い端部側には、外方向に突出した突出部１３３が形成されており、後述するストッパー本体１３５に係止することでカム１３１の回動を止めるようになっている。前記カム１３１は、前記回動軸１２１と一体的に回動するため、図３に示すように、ナット１３４によって前記回動軸１２１に固定されている。
【００２２】
なお、カム１３１の形状は、図４に示すような２つの円弧面を備えた略扇状のものを組み合わせた形状に限定されるものではなく、楕円形状等から適宜選択してもよい。
【００２３】
押圧ストッパー１３２は、回動する前記カム１３１の外周面に沿って摺動しながら外方向に押されて床面開口部Ｏの内周面Ｏ１に押し付けられるものである。本実施形態における押圧ストッパー１３２は、図３および図４に示すように、ストッパー本体１３５と、このストッパー本体１３５を摺動可能に支持するストッパー支持部１３６と、収縮された反発力によって前記ストッパー本体１３５をカム１３１側に押し付ける弦巻バネ１３７とを有する。
【００２４】
ストッパー本体１３５は、円柱棒状に形成されており、先端には床面開口部Ｏの内周面Ｏ１に当接する当接部１３８を有するとともに、後端側には弦巻バネ１３７を巻き付けて係止するバネ係止部１３９が形成されている。
【００２５】
当接部１３８は、床面開口部Ｏの内周面Ｏ１との当接面積を広くすることで摩擦抵抗を大きくするために設けられたものであり、ストッパー本体１３５の端面よりも大きい形状に形成されている。また、当接部１３８は、ストッパー本体１３５の先端においてボルトおよびナットによって揺動自在にピン接合されている。これは、前記当接部１３８が接する床面開口部Ｏの内周面Ｏ１が傾斜状や凹凸状になっていても適宜揺動して接触面を確保することができるようにするためである。また、バネ係止部１３９は、弦巻バネ１３７を巻回させて前記弦巻バネ１３７の反発力を発揮させるためのものであり、ストッパー本体１３５のカム１３１側の端部にひと回り大きい外周縁が突出形成されている。
【００２６】
ストッパー支持部１３６は、前記ストッパー本体１３５を挿通可能な円筒状に形成されており、この円筒内に前記ストッパー本体１３５を摺動自在に支持するものである。なお、前記ストッパー支持部１３６は、前記蓋本体１１の裏面に沿って保護カバー１４に固定されている。
【００２７】
弦巻バネ１３７は、前記ストッパー本体１３５の外周面に巻き付けられるバネであって、バネ係止部１３９とストッパー支持部１３６の端面との間に配置されている。よって、弦巻バネ１３７は、ストッパー本体１３５がカム１３１に押されて外側方向に移動することにより収縮し、この収縮に伴う反発力によって前記ストッパー本体１３５に内方向への付勢力を与えるようになっている。
【００２８】
保護カバー１４は、前記回動操作部１２および前記ストッパー機構部１３が破損等しないように保護するものであり、本実施形態では、薄板状の鋼板を凹状に屈曲させて形成している。
【００２９】
なお、上述したストッパー機構部１３は、本実施形態のようにカム１３１を用いたものに限定されるものではなく、蓋本体１１の表面側から操作可能であって、かつ裏面側において床面開口部Ｏの内周面Ｏ１に押し付けられ得る様々な機構から適宜選択してもよい。例えば、図５に示すように、ストッパー機構部１３としてパンタグラフ式のジャッキ構造に形成し、回動操作部１２の回動操作によってジャッキ構造のギヤ１４０を回動させ、パンタグラフ部１４１を伸長させることで、前記パンタグラフ部１４１の当接部１３８を外方向に摺動させてテンションを得るようにしてもよい。
【００３０】
また、図６に示すように、ストッパー機構部１３として、カム１３１の代わりに回動自在な棒状部材１４２を用い、ストッパー本体１３５を前記棒状部材１４２との当接面に沿って押し動かすことによって、ストッパー本体１３５の先端部を外方向に摺動させてテンションを得るようにしてもよい。なお、前記棒状部材１４２には、前記ストッパー本体１３５を棒状部材１４２の軸線方向に沿って摺動し易いように溝や孔等を形成してもよい。
【００３１】
次に、本実施形態の開閉扉移動器具２について説明する。
【００３２】
本実施形態の開閉扉移動器具２は、図７に示すように、鎖で構成されているフック部材２１と、このフック部材２１を先端に連結している棒状のアーム部材２２と、このアーム部材２２を支持するアーム支持脚２３と、このアーム支持脚２３の下端部に取り付けられたキャスター部材２４と、前記アーム支持脚２３の下端部に設けられる爪部材２５とを有する。
【００３３】
フック部材２１は、蓋本体１１に設けられている引掛け部１１２に掛止するものであり、本実施形態では、所定の長さの鎖の先端にラッチ付のフックが取り付けられている。
【００３４】
アーム部材２２は、フック部材２１によって掛止した床面開口部開閉蓋１を持ち上げるためのアームであって、先端に前記フック部材２１を連結するとともに、後端に持ち手となる把持部２２１を有する。本実施形態におけるアーム部材２２は、長尺円柱棒状の鋼材によって形成されており、その先端部および後端部にはボルトによって着脱可能な円筒状部材２２２が設けられており、この円筒状部材２２２の固定位置を調整することでアーム部材２２の長さを調整することができるようになっている。
【００３５】
アーム支持脚２３は、前記アーム部材２２の中途位置から下方に向けて延設された部材であって、前記アーム部材２２を床面Ｆから所定の高さに支持するものであり、本実施形態では、二股状に延設されている。また、アーム支持脚２３とアーム部材２２とは接続板２３１を介してボルトおよびナット等によってピン接合されており、折りたたみ可能に構成されている。このため、本実施形態の開閉扉移動器具２は、容易に運搬できる。
【００３６】
キャスター部材２４は、一般的なキャスターであり、本実施形態では、床面開口部開閉蓋１を持ち上げる際の支点となるとともに持ち上げた状態で移動するときのタイヤとして機能するため、二股状の前記アーム支持脚２３の下端部後方にそれぞれ設けられている。
【００３７】
爪部材２５は、アーム支持脚２３の下端部前方側に延設され、前記蓋本体１１と床面Ｆとの間に挿入可能な薄板状に形成されており、フック部材２１によって持ち上げた床面開口部開閉蓋１を下方から支持するようになっている。
【００３８】
次に、本実施形態の床面開口部開閉蓋１および開閉蓋移動器具２の各構成における作用について説明する。
【００３９】
床面開口部開閉蓋１は、図８（ａ）に示すように、床面開口部Ｏの上に載置される。蓋本体１１は、床面開口部Ｏより大きい形状を有するため、前記床面開口部Ｏを完全に覆って閉じている。
【００４０】
回動用工具Ｔは、蓋本体１１の表面側から工具挿入孔１１１に挿入され、回動操作部１２のトルク伝達部１２３に嵌合される。本実施形態では、Ｔ字状のハンドルを有するＴ型ソケットレンチＴのソケット部分Ｔ１がトルク伝達部１２３に嵌合させる。このＴ型ソケットレンチＴが所定の方向に回動されると、その回動トルクがトルク伝達部１２３に伝達され回動軸１２１を回動させる。
【００４１】
カム１３１は、回動軸１２１に連動して前記蓋本体１１の裏面に沿って回動する。このとき、カム１３１の外周面は、図４に示すように、ストッパー本体１３５の基端部に当接して摺動させながら、前記ストッパー本体１３５を外方向に押す。一方、弦巻バネ１３７は、図９に示すように、ストッパー本体１３５の外方向への摺動に伴って収縮し、その反発力によって前記ストッパー本体１３５をカム１３１側に向けて押し返す。
【００４２】
外方向に押されたストッパー本体１３５は、図８（ｂ）に示すように、当接部１３８を床面開口部Ｏの内周面Ｏ１に押し付ける。また、本実施形態における当接部１３８は揺動自在に支持されているため前記内周面Ｏ１と確実に面接触し、強い摩擦力と展張力をもって蓋本体１１を強固に固定する。
【００４３】
ストッパー機構部１３による固定を解除する場合は、前記回動用工具Ｔを逆方向に回動させればよい。また、回動操作部１２を逆方向に回動させていくと、カム１３１の突出部１３３によってストッパー本体１３５を係止するため、逆方向に回しすぎることはない。
【００４４】
開閉蓋移動器具２では、床面開口開閉蓋１を持ち上げ移動することができる。具体的には、図１０（ａ）に示すよう、薄板状の爪部材２５を蓋本体１１と床面Ｆとの間に挿入し、フック部材２１を蓋本体１１の引掛け部１１２に引っ掛ける。
【００４５】
そして、図１０（ｂ）に示すように、把持部２２１を持って下方に押し下げるように力を加えると、アーム支持脚２３が、キャスター部２４を支点として、てこの原理により傾斜し、アーム部材２２の先端側が持ち上げられる。このときフック部材２１が蓋本体１１を持ち上げ、蓋本体１１の下方は爪部材２５によって下方から支持される。そして、開閉蓋移動器具２はキャスター部材２４によって支持されているため、容易に移動することができる。
【００４６】
以上のような本実施形態の床面開口開閉蓋１および開閉蓋移動器具２によれば、以下の効果を得ることができる。
１．床面開口部Ｏに蓋本体１１を表面側からの操作で確実に固定することができ、蓋上を歩いても安全であり、位置ズレ等を防止することができる。
２．蓋本体１１は薄板状に形成されており、表面側に突出する部分を有さないため、作業員が安心して歩行することができて転倒事故を防ぐことができる。
３．開閉蓋移動器具２を用いることで床面開口開閉蓋１を安全かつ容易に移動させることができるため、運搬作業や設置作業、取り外し作業を楽に行うことができる。
【００４７】
なお、本考案に係る床面開口開閉蓋１および開閉蓋移動器具２は、前述した実施形態に限定されるものではなく、適宜変更することができる。
【００４８】
例えば、床面開口開閉蓋１のストッパー機構部１３は、床面開口部Ｏの内周面Ｏ１に対し三箇所以上に押し付けられる構造を備えていてもよい。
【符号の説明】
【００４９】
１  床面開口部開閉蓋
２  開閉蓋移動器具
１１  蓋本体
１２  回動操作部
１３  ストッパー機構部
１４  保護カバー
２１  フック部材
２２  アーム部材
２３  アーム支持脚
２４  キャスター部材
２５  爪部材
１１１  工具挿入孔
１１２  引掛け部
１２１  回動軸
１２２  回動軸受け
１２３  トルク伝達部
１３１  カム
１３２  押圧ストッパー
１３３  突出部
１３４  ナット
１３５  ストッパー本体
１３６  ストッパー支持部
１３７  弦巻バネ
１３８  当接部
１３９  バネ係止部
１４０  ギヤ
１４１  パンタグラフ部
１４２  棒状部材
２２１  把持部
２２２  円筒状部材
２３１  接続板
Ｆ  床面
Ｏ  床面開口部
Ｏ１  内周面
Ｔ  回動用工具（Ｔ型ソケットレンチ）
Ｔ１  ソケット部分
【図１】
0003195942.tif 000003
【図２】
0003195942.tif 000004
【図３】
0003195942.tif 000005
【図４】
0003195942.tif 000006
【図５】
0003195942.tif 000007
【図６】
0003195942.tif 000008
【図７】
0003195942.tif 000009
【図８】
0003195942.tif 000010
【図９】
0003195942.tif 000011
【図１０】
0003195942.tif 000012